(57)【要約】【課題】ローカルリンクを使用して無線通信装置をエミュレートすること。【解決手段】ローカルリンクを利用して、第２の無線通信装置を用いて、広域ネットワーク上の第１の無線通信装置をエミュレートするための技術が、開示される。１つの観点において、第１の無線通信装置（１０６）は、ローカルリンクを介して、第２の無線通信装置（１０６）へアイデンティティ情報を送信する。第２の無線通信装置は、受信されたアイデンティティ情報を使用して、広域ネットワーク（１０４）をアクセスする。もう１つの観点において、第１の無線通信装置（１０６）は、第１の無線通信装置をエミュレートするため、そして広域ネットワークをアクセスするために、第２の無線通信装置（１０６）へ信号を送る。更にもう１つの観点において、ローカルリンクは、無線ローカルリンク（２８０）である。これらの観点は、着脱可能なアイデンティティモジュールを交換することなく無線通信装置のエミュレーションを容易にすること、第１の装置のアイデンティティ、電話番号、又はサービス契約の使用を可能にすること、及び第２の装置によってサポートされる特徴及びシステムを利すること、を含む利点を有する。
2005528026.tif 000002
【特許請求の範囲】
【請求項１】
広域ネットワークに含まれる基地局と動作可能であり、ローカルリンクを介して第２の無線通信装置と動作可能な、無線通信装置であって、下記を具備する：
第２の無線通信装置からローカルリンク上でアイデンティティ情報を受信するためのリンクインタフェース；及び
広域ネットワークをアクセスするために基地局へ向けられたメッセージを発生させるためのメッセージ発生器、そのメッセージは受信されたアイデンティティ情報を含む。
【請求項２】
リンクインタフェースは、無線ローカルリンクと動作する、請求項１の無線通信装置。
【請求項３】
リンクインタフェースは、有線ローカルリンクと動作する、請求項１の無線通信装置。
【請求項４】
ローカルリンクを介して第２の無線通信装置と動作可能な、無線通信装置であって、下記を具備する：
第２の無線通信装置へローカルリンク上でアイデンティティ情報を送信するためのリンクインタフェース。
【請求項５】
リンクインタフェースは、無線ローカルリンクと動作する、請求項４の無線通信装置。
【請求項６】
リンクインタフェースは、有線ローカルリンクと動作する、請求項４の無線通信装置。
【請求項７】
アイデンティティ情報を記憶するためのアイデンティティモジュールを更に具備する、請求項４の無線通信装置。
【請求項８】
アイデンティティモジュールは、着脱可能である、請求項７の無線通信装置。
【請求項９】
無線通信システムであって、下記を具備する：
基地局；
第１の無線通信装置；及び
第１の無線通信装置からローカルリンクを介してアイデンティティ情報を受信するための及び受信されたアイデンティティ情報を用いて基地局をアクセスするための第２の無線通信装置。
【請求項１０】
無線通信システムを含む、広域ネットワークであって、下記を具備する：
第１の無線通信装置；及び
第１の無線通信装置からローカルリンクを介してアイデンティティ情報を受信するための及び受信されたアイデンティティ情報を用いて無線通信システムをアクセスするための第２の無線通信装置。
【請求項１１】
無線通信装置をエミュレートする方法であって、下記を具備する：
ローカルリンクを介して無線通信装置をアクセスする；
無線通信装置からローカルリンクを介してアイデンティティ情報を受信する；及び
受信されたアイデンティティ情報を使用して広域ネットワークをアクセスする。
【請求項１２】
無線通信装置をエミュレートする方法であって、下記を具備する：
広域ネットワークをアクセスするために無線通信装置へ、ローカルリンクを介して、信号を送る；
広域ネットワークのアクセスに使用するために無線通信装置へアイデンティティ情報を送信する；及び
ローカルリンクを介して広域ネットワークとデータを交換する。
【請求項１３】
無線通信装置をエミュレートする方法であって、下記を具備する：
ローカルリンクを介して第２の無線通信装置を用いて第１の無線通信装置をアクセスする；
ローカルリンクを介して第１の無線通信装置からアイデンティティ情報を第２の無線通信装置で受信する；及び
受信されたアイデンティティ情報を使用して第２の無線通信装置を用いて広域ネットワークをアクセスする。
【請求項１４】
無線通信装置であって、下記を具備する：
ローカルリンクを介して第２の無線通信装置をアクセスするための手段；
第２の無線通信装置からローカルリンクを介してアイデンティティ情報を受信するための手段；及び
受信されたアイデンティティ情報を使用して広域ネットワークをアクセスするための手段。
【請求項１５】
無線通信装置であって、下記を具備する：
広域ネットワークをアクセスするために第２の無線通信装置へ、ローカルリンクを介して、信号を送るための手段；
広域ネットワークのアクセスに使用するために第２の無線通信装置へアイデンティティ情報を送信するための手段；及び
ローカルリンクを介して広域ネットワークとデータを交換するための手段。
【請求項１６】
無線通信システムであって、下記を具備する：
ローカルリンクを介して第２の無線通信装置を用いて第１の無線通信装置をアクセスするための手段；
ローカルリンクを介して第１の無線通信装置からアイデンティティ情報を第２の無線通信装置で受信するための手段；及び
受信されたアイデンティティ情報を使用して第２の無線通信装置を用いて広域ネットワークをアクセスするための手段。
【請求項１７】
下記のステップを実行することが動作可能なプロセッサ可読媒体：
広域ネットワークをアクセスするために無線通信装置へ、ローカルリンクを介して、信号を送る：
広域ネットワークのアクセスに使用するために無線通信装置へアイデンティティ情報を送信する；及び
ローカルリンクを介して広域ネットワークとデータを交換する。
【請求項１８】
下記のステップを実行することが動作可能なプロセッサ可読媒体：
ローカルリンクを介して無線通信装置をアクセスする；
無線通信装置からローカルリンクを介してアイデンティティ情報を受信する；及び
受信されたアイデンティティ情報を使用して広域ネットワークをアクセスする。
【発明の詳細な説明】
【技術分野】
【０００１】
本発明は、一般的に通信に関し、特に、ローカルリンク上で交換される情報を使用して広域ネットワーク上の無線通信装置をエミュレートするための新規で改良された方法及び装置に関する。
【背景技術】
【０００２】
無線通信システムは、音声及びデータのような種々の型の通信を提供するために広く採用される。これらのシステムは、符号分割多元アクセス（ＣＤＭＡ）、時分割多元アクセス（ＴＤＭＡ）、又はいくつかの他の変調技術に基づく可能性がある。ＣＤＭＡシステムは、システム容量の増大を含む、他の型のシステムに対してある種の利点を提供する。
【０００３】
ＣＤＭＡシステムは、（１）“ＴＩＡ／ＥＩＡ‐９５‐Ｂ  ２重モード広帯域スペクトル拡散セルラシステムに関する移動局‐基地局互換性標準”（ＩＳ‐９５標準）、（２）“第３世代連携プロジェクト”（３ＧＰＰ）と命名された連合体によって提案され、文書番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含む１組の文書に盛り込まれた標準（Ｗ‐ＣＤＭＡ標準）、（３）“第３世代連携プロジェクト２”（３ＧＰＰ２）と命名された連合体によって提案され、“Ｃ．Ｓ０００２‐Ａ  ｃｄｍａ２０００スペクトル拡散システムに関する物理レイヤ標準”、“Ｃ．Ｓ０００５‐Ａ  ｃｄｍａ２０００スペクトル拡散システムに関する上位レイヤ（レイヤ３）信号通信標準”、及び“Ｃ．Ｓ００２４  ｃｄｍａ２０００高レートパケットデータエアーインタフェース仕様”を含む１組の文書に盛り込まれた標準（ｃｄｍａ２０００標準）、（４）“ＴＩＡ／ＥＩＡ‐ＩＳ‐８５６  ＣＤＭＡ２０００高レートパケットデータエアーインタフェース仕様”（ＩＳ‐８５６標準）、並びに（５）いくつかの他の標準のような、１つ以上のＣＤＭＡ標準をサポートするために設計される可能性がある。非ＣＤＭＡシステムは、ＡＭＰＳ、ＧＳＭ、及び他のＴＤＭＡシステムを含む。これら及び他の無線通信標準は、種々のデータレートでデータ通信をサポートする。
【０００４】
上記に説明されたものような、１つ以上の通信標準に準拠する無線通信装置のユーザは、種々の代わりの通信標準によってカバーされた地域へたびたび移動する。任意の特定の地理的領域において提供される通信標準は、ユーザの装置によってサポートされることがあるか又はサポートされないことがある。
【０００５】
更に、ユーザは、複数の無線通信装置を持つ可能性がある。例えば、手持ち式の移動電話機、乗用車における移動電話機、又はコンピュータに組み込まれる又はＰＣカードで付属されるか否かに関らず、音声及び／又はデータアクセスのための移動電話機を装備したノートブック型コンピュータである。
【０００６】
セルラネットワークは、広域ネットワークの例である。更に、セルラネットワークは、恐らく、インターネット又は企業のイントラネットのような、他の広域ネットワークと同様に、公衆電話交換ネットワーク（ＰＳＴＮ）へ接続する。
【０００７】
ユーザは、料金請求、記録保存、認証、等に関する共通のアイデンティティ（identity）を維持しながら、おそらく複数の装置を使用して、複数の広域ネットワークへアクセスすることを望む可能性がある。着脱可能なアイデンティティカードは、装置のアイデンティフィケーション情報に関連して現存するサービス契約下で動作させながら、種々の装置を用いてユーザが広域ネットワークをアクセスすることを可能にする。このプロセスは、エミュレーションと呼ばれる。例えば、ユーザは、装置Ａについて所定のサービス契約を有する。ユーザは、装置Ａから直接利用可能ではなく、装置Ｂから利用可能なネットワークをアクセスすることを要望する。ユーザは、装置Ａから装置Ｂへアイデンティフィケーション情報を提供する。装置Ｂは、それから、装置Ａからのアイデンティフィケーション情報を使用して、ネットワークをアクセスするために手続きをする。この場合において、装置Ａは、“エミュレートされる装置”であり、装置Ｂは、“エミュレートする装置”である。１つの装置からもう１つの装置へ情報を提供するための方法は、ＴＩＡ／ＥＩＡ／ＩＳ‐８２０、“ＴＩＡ／ＥＩＡスペクトル拡散標準に関する着脱可能なユーザアイデンティティモジュール（Ｒ‐ＵＩＭ）”に規定されたＲ‐ＵＩＭカード、及びＧＳＭ  １１．１１、“加入者アイデンティティモジュールの仕様”に規定されたＳＩＭカードを含む。ユーザは、このようなエミュレーションを実行するために、異なる装置の間でカードを取替えなければならない。
【０００８】
ブルートゥース仕様のような、ローカル無線通信標準は、互いに近傍にあるとき、ピア−ツー−ピア（peer to peer：同等の）構成（１つの装置は、一般的に、サーバに指定され、１つ以上の近接する装置は、クライアントとして動作する）で、複数の装置が通信することを可能にする。ブルートゥースは、ゾンネンシャイン・ナート及びローゼンタール、１３０１Ｋ通り北西区、スート６００、イースト・タワー、ワシントンＤ．Ｃ．２０００９（Sonnenschein Nath & Rosenthal,1301 K St. NW, Suite 600, East Tower, Washington D.C. 20009）気付けの主宛先を有する、ブルートゥース特殊企業群株式会社（BLUETOOTH SIG, inc.）所有の商標である。無線ローカルリンク方法論の一例は、ブルートゥース仕様によって説明されるが、これに対して、他の無線及び有線フォーマットは、２つの無線通信装置を一緒に結び付けるために使用される可能性がある。
【０００９】
Ｒ‐ＵＩＭカード及び同様の装置は、１つの移動電話機が他の移動電話機をエミュレートすることを可能にするが、ユーザは、装置を物理的に取替えなければならない。ブルートゥース仕様によって指定されたもののようなローカルリンク技術は、より一般化している。従って、ローカルリンクを利用する第２の無線通信装置を用いて、広域ネットワーク上の第１の無線通信装置をエミュレートするために技術的なニーズがある。
【発明の開示】
【００１０】
［サマリー］
この中に開示される実施形態は、ローカルリンクを利用する第２の無線通信装置を用いて、広域ネットワーク上の第１の無線通信装置をエミュレートするためのニーズに応える。１つの観点において、第１の無線通信装置は、ローカルリンクを介して第２の無線通信装置へアイデンティティ情報を送信する。第２の無線通信装置は、受信されたアイデンティティ情報を使用して、広域ネットワークへアクセスする。他の１つの観点において、第１の無線通信装置は、第１の無線通信装置をエミュレートし広域ネットワークへアクセスするために、第２の無線通信装置へ信号を送る。音声又はデータ通信は、それから、ローカルリンクを介して広域ネットワークと第１の無線通信装置との間で転送される。しかももう１つの観点において、ローカルリンクは、無線ローカルリンクである。これらの観点は、着脱可能なアイデンティティモジュールを交換することなく無線通信装置のエミュレーションを容易にすること、第１の装置のアイデンティティ、電話番号、又はサービス契約の使用を可能にすること、及び、第２の装置によってサポートされる特徴及びシステムを利用することを含む利点を有する。
【００１１】
本発明は、後で更に詳細に説明されるように、本発明の種々の観点、実施形態、及び特徴を実施する方法及びシステムエレメントを提供する。
【発明を実施するための最良の形態】
【００１２】
本発明の特徴、本質、及び利点は、同様な参照文字が全体に亘って対応して識別する図面と共に取り入れられるとき、以下に述べる詳細な説明からより明白になる。
【００１３】
図１は、１つ以上の無線標準及び／又は設計（例えば、Ｗ‐ＣＤＭＡ標準、ＩＳ‐９５標準、ｃｄｍａ２０００標準、ＩＳ‐８５６標準、ＧＳＭ、ＡＭＰＳ）をサポートするために設計される可能性がある無線通信システム１００の図である。無線通信システム１００は、本発明の範囲内で展開される可能性がある広域ネットワークのほんの１例である。
【００１４】
簡単にするために、システム１００は、２つの移動局１０６と通信状態にある１つの基地局１０４を含むように示される。複数の基地局１０４を含むセルラシステムを見つけることは一般的である。複数のセルラシステムが、音声通話に関して公衆電話交換ネットワーク（ＰＳＴＮ）と同様に互いに相互作用をすること、並びにデータ通信及びインターネット（詳細は図示されていない）との接続性に関して１つ以上のパケットデータサービスノード（ＰＤＳＮ）と相互作用をすることも、よくあることでもある。
【００１５】
基地局及びその交信エリア（coverage area）は、しばしば、包括的に“セル”と呼ばれる。ＩＳ‐９５システムにおいて、セルは、１つ以上のセクタを含む可能性がある。Ｗ‐ＣＤＭＡ仕様において、基地局の各セクタ及びセクタの交信エリアは、セルと呼ばれる。この中に使用されるように、用語基地局は、用語アクセスポイント又はノードＢと互換的に使用される可能性がある。用語移動局は、用語ユーザ設備（ＵＥ）、加入者ユニット、加入者局、アクセス端末、遠隔端末、又は技術的に周知の他の対応する用語と互換的に使用されることがある。用語移動局は、固定の無線アプリケーションを包含する。
【００１６】
実施されようとするシステムに依存して、各移動局１０６は、任意の所与の瞬間において、順方向リンク上で１つの（又は多分より多くの）基地局１０４と通信する可能性があり、且つ、移動局がソフトハンドオフにあるか否かに依存して、逆方向リンクにおいて１つ以上の基地局と通信する可能性がある。順方向リンク（即ち、ダウンリンク）は、基地局から移動局への送信のことを言い、逆方向リンク（即ち、アップリンク）は、移動局から基地局への送信のことを言う。
【００１７】
明確にするために、この発明の説明に使用される例は、基地局を信号の発信者として、移動局をそれらの信号の受信者及び取得者、即ち、順方向リンク上の信号、として想定する可能性がある。技術的に精通した人達は、基地局と同様に移動局が、この中に説明されるように、データを送信するために備えられる可能性があり、且つ、同様に、本発明の観点がそれらの状況に適用すること、を理解する。用語“イグゼンプラリな”は、この中に、限定的に“見本、場合、又は図示の役をすること”を意味するために使用される。“イグゼンプラリな”として、この中に説明される任意の実施形態は、必ずしも他の実施形態を超えて好ましい又は利点があるとして、解釈されるとは限らない。
【００１８】
基地局１０４は、１つ以上の基地局トランシーバサブシステム（ＢＴＳ）１１２と通信する基地局コントローラ（ＢＳＣ）１１０を具備する。移動局１０６は、１つ以上のＢＴＳｓ１２０との無線接続を介して、１つ以上のＢＳＣｓ１１０と通信する。この例において、ＢＳＣ１１０は、ＢＴＳ１２０Ａ及び１２０Ｂと接続される。移動局１０６Ｂは、ＢＴＳ１２０Ａとの無線接続を介して、ＢＳＣ１１０と通信している。移動局１０６Ｃは、ＢＴＳ１２０Ｂを経由して、ＢＳＣ１１０と通信する。
【００１９】
移動局１０６Ａは、有線リンクを用いて移動局１０６Ｂへ接続される。装置を接続するために技術的に周知な任意の種々の有線標準が、採用される可能性がある。移動局１０６Ａは，移動局１０６Ｂへの自身の接続及び１０６ＢとＢＴＳ１２０Ａとの間の無線接続を介して、基地局１０４と通信する可能性がある。あるいは、移動局１０６Ｂは、移動局１０６Ａと１０６Ｂとの間の有線リンク上で転送されたデータを使用して移動局１０６Ａをエミュレートしながら、通信のために使用される可能性がある。これらの手順は、更に後で説明される。
【００２０】
同様に、移動局１０６Ｄは、無線リンクを介して、移動局１０６Ｃと接続される。イグゼンプラリな実施形態において、この無線リンクは、１．１版のような、ブルートゥース仕様をサポートするリンクであるが、他の無線リンクが、サポートされる可能性がある。移動局１０６Ｄは、移動局１０６Ｃへの自身の接続及び１０６ＣとＢＴＳ１２０Ｂとの間の無線接続を介して、基地局１０４と通信する可能性がある。あるいは、移動局１０６Ｃは、移動局１０６Ｃと１０６Ｄとの間の無線リンク上で転送されたデータを使用して移動局１０６Ｄをエミュレートしながら、通信のために使用される可能性がある。再度、これらの手順は、更に後で説明される。
【００２１】
２つの移動局１０６の間の有線又は無線リンクは、ローカルリンクの例である。これは、もう１つの移動局を経由して、セルラシステムのような広域ネットワークへアクセスするために１つの移動局によって、又は、広域ネットワークへアクセスしながら、もう１つの移動局をエミュレートするために１つの移動局に対して使用される可能性がある。広域ネットワークへアクセスするために使用される移動局１０６は、基地局１０４によって使用される標準を少なくともサポートし、そして種々の他の標準をサポートする可能性がある。図１の例において、移動局１０６Ｂ及び１０６Ｃは、基地局１０４によって採用された通信標準をサポートする。移動局１０６Ａ及び１０６Ｄは、基地局１０４において使用された通信標準をサポートする可能性がある、又はサポートしない可能性がある。
【００２２】
例えば、移動局１０６Ｃは、ユーザ所有の自動車電話機である可能性がある。ユーザは、手持ち式の移動電話機１０６Ｄも所有する可能性がある。ユーザは、手持ち式の移動電話機１０６Ｄを自動車電話機１０６Ｃに接続することを望む可能性があり、これにより、ハンズフリー動作又は所望のデータ能力に対するサポートのような自動車電話機の一定の特徴が、運転しながら利用可能であり、しかも手持ち式の移動電話機１０６Ｄの電話番号及びサービス契約は、他人がそれぞれユーザに連絡すること、及びサービスの要求を指示することを可能にする。イグゼンプラリな実施形態において、移動局１０６Ｃと１０６Ｄとの間のローカルリンクは、版１．１のような、ブルートゥース仕様をサポートするリンクであり、そのため、２つの移動局は、単に、互いに近接する必要がある。ユーザは、どんな電線も接続する必要はなく、又はＲ‐ＵＩＭカードのようなどんなコンポーネントも移動させる必要はない。この例において、移動電話機１０６Ｃ及び１０６Ｄの両方は、基地局１０４と通信する能力がある可能性があり、しかも、ユーザは、移動局１０６Ｃを用いて、広域ネットワーク、即ち、セルラシステム１００、と接続する動機を有する。
【００２３】
もう１つの例のように、移動局１０６Ｄは、基地局１０４によって採用された通信標準をサポートしない可能性がある。１０６Ｄのユーザは、例えば、互換性のないセルラネットワークの領域へ移動してしまう可能性がある。そのユーザは、セルラネットワーク１００上で実際に動作する移動電話機１０６Ｃをレンタルする可能性がある。ユーザは、それから、移動局１０６Ｄに割り当てられた電話番号へアクセス可能のままにし、ユーザの既存のサービス契約下で動作させながら、レンタルされた電話機１０６Ｃを用いて、システム１００をアクセスする可能性がある。以前のように、２つの移動局は、ブルートゥース仕様又は他の無線リンクをサポートするリンクへ接続する一定の距離内に来るだけが必要である。
【００２４】
種々の基地局１０４と移動局１０６との間の無線接続は、認証、認可、及び料金請求（ＡＡＡ）サーバ１３０を使用して確立される。ＡＡＡサーバ１３０は、移動局アイデンティフィケーションが適正な加入者に対応することを検証することによって移動局１０６を認可する。更に、サービスの要求、サポートされる特徴、ローミング（roaming）能力、等のような、認可された加入者に関連する種々のパラメータは、ネットワークへ返される可能性がある。一般のセルラシステムにおいて、加入者は、ＡＡＡサーバ１３０に記憶された加入者情報に対応する、共用の秘密、パスワード、又はキーを用いた認証プロトコルを使用して認証される。種々の認証プロトコルは、技術的に周知であり、このような手法は何れも、本発明の範囲の中で採用される可能性がある。
【００２５】
単一のＡＡＡサーバ１３０が示されているが、技術的に精通した人達は、ＡＡＡサーバ１３０がＡＡＡサーバ及び／又はプロクシＡＡＡサーバのネットワークを表す可能性があることを認識する。１つのネットワークにおけるＡＡＡサーバ１３０は、そのＡＡＡサーバによって知られていない移動局の認証のための要請を受信する可能性がある。ＡＡＡサーバは、移動局に対応する情報を有するＡＡＡサーバが見出されるまで、要請を用いて１つ以上の追加のサーバをアクセスする可能性がある。
【００２６】
技術的に精通した人達は、移動局の認可のために採用されたＡＡＡサーバがイグゼンプラリなだけであること、を認識する。いくつかのＩＳ‐２０００パケットサービスは、ＩＳ‐８５６を実行するように、ＡＡＡサーバを使用する。ＩＳ‐９５及びＩＳ‐２０００のような、他のシステムは、認証、認可のために、及びローミング情報／サービスプロファイルダウンロードをサポートするために、ホームロケーションレジスタ（Home Location Register）／認証センタ（ＨＬＲ／ＡＣ）を使用する。ここで使用されるように、用語ＡＡＡサーバは、ＨＬＲ／ＡＣと同様に、認証、認可、サービスプロファイル、及び同様なサービスを提供するための任意の他の装置と互換的に使用される可能性がある。
【００２７】
図２は、移動局１０６の一部を図示する。信号は、アンテナ２１０で受信され、受信機２５０へ配信される。受信機２５０は、前に列記されたセルラ標準のような、１つ以上の無線システム標準に従って処理を実行する。受信機２５０は、高周波（ＲＦ）からベースバンドへの変換、増幅、アナログからディジタルへの変換、フィルタリング、復調、デインタリーブ、デコーディング、等のような、種々の処理を実行する。受信するための種々の技術は、技術的に周知である。受信されたデータは、音声又はデータ通信に使用するためにプロセッサ２４０へ送信される可能性がある。音声通信又はデータアプリケーションをサポートする追加のコンポーネントは、示されていない。
【００２８】
受信されたデータは、メッセージデコーダ２６０へも配信される。メッセージデコーダ２６０は、セルラネットワーク（又は他の広域ネットワーク）上で通話を設定すること、維持すること及び分解することに使用される種々のメッセージを復号する。種々の通話設定手順及びそれらに関係のあるメッセージは、技術的に周知である。例は、基地局１０４からの呼出メッセージ、又は移動局１０６からのアクセス要請メッセージに応答するメッセージを含む。基地局１０４及びＡＡＡサーバ１３０の両方を含む、認証手順は、移動局１０６への配信及びメッセージデコーダ２６０における引き続くデコーディングのためにメッセージを生成する可能性がある。種々のメッセージは、プロセッサ２４０へ配信される。技術的に精通した人達は、メッセージデコーダ２６０及び／又は受信機２５０において実行されたいくつかの又は全ての手順がプロセッサ２４０において実行される可能性があることを認識する。
【００２９】
プロセッサ２４０は、セルラネットワーク（又は他の広域ネットワーク）上で通話を設定すること、維持すること及び分解することに使用される種々のメッセージを発生させるために、メッセージ発生器２３０を指示する。種々の通話設定手順及びそれらに関係のあるメッセージは、技術的に周知である。例は、基地局１０４へのアクセス要請、又は基地局１０４からの呼出メッセージに応答するメッセージを含む。基地局１０４及びＡＡＡサーバ１３０の両方を含む認証手順は、基地局１０４への配信のために応答メッセージを要求する可能性がある。更に、移動局は、基地局に登録するためにメッセージを送る可能性があり、通話が受信されるか又は開始されるまで、アイドル状態に留まる可能性がある。
【００３０】
メッセージは、移動局１０６によってサポートされる１つ以上の通信標準に従って書式設定するために送信機２２０に配信される。送信機２２０における手順は、ボコーディング（vocoding）、エンコーディング、インタリービング、変調、フィルタリング、増幅、ディジタルからアナログへの変換、変調、等を含む可能性がある。更に、音声通信又はデータアプリケーションに使用するためのデータは、プロセッサ２４０から送信機２２０へ配信される可能性がある。送信機２２０において発生された信号は、アンテナ２１０上での送信のために配信される。技術的に精通した人達は、メッセージ発生器２３０及び／又は送信機２２０において実行されるいくつかの又は全ての手順が、プロセッサ２４０において実行される可能性があることを認識する。
【００３１】
いくつかの移動局１０６は、ローカル無線リンクにおいてデータを受信及び送信するためにローカル無線受信機／送信機２８０を含む可能性がある。イグゼンプラリな実施形態において、ローカル無線受信機／送信機２８０は、ブルートゥース仕様と矛盾しない書式設定されたデータを送信し、受信する。図２に示されたように、ローカル無線受信機／送信機２８０は、アンテナ２１０を共用する。代わりの実施形態は、ローカル無線受信機／送信機２８０による使用のために第２のアンテナを採用する可能性がある。それぞれローカル無線受信機／送信機２８０を備えた２つの移動局１０６は、図１において移動局１０６Ｃと１０６Ｄとの間で説明されたもののような、ローカル無線リンクを設定する可能性がある。前に説明された、送信機２２０、受信機２５０、メッセージ発生器２３０、及びメッセージデコーダ２６０によってサポートされる通信標準は、２つの移動局１０６の間で同一である又は重複する必要がないことに注目されたい。前に説明された、いくつかの状況において、第１の移動局１０６は、ローカル無線受信機／送信機２８０を用いて処理された無線リンクを利用する可能性があり、第２の移動局１０６を介して、セルラ又は他の広域ネットワークをアクセスする。ここにおいて、ネットワークは、第１の移動局１０６によってサポートされる標準を使用してアクセス可能ではないはずである。ローカル無線受信機／送信機２８０は、ローカル無線リンクを処理するためにプロセッサ２４０と接続する。
【００３２】
ローカル無線受信機／送信機２８０に加えて又はローカル無線受信機／送信機２８０の代わりに、移動局１６０は、もう１つの移動局１０６のような、もう１つの無線通信装置との有線接続のためのリンクインタフェース２９０を含む可能性がある。有線接続は、ローカル無線通信リンクに関して直前に説明されたように、同様なやり方で使用される可能性がある。リンクインタフェース２９０は、ローカル有線リンクを処理するためにプロセッサ２４０と接続する。
【００３３】
プロセッサ２４０は、汎用マイクロプロセッサ、ディジタルシグナルプロセッサ（ＤＳＰ）、又は特殊用途プロセッサである可能性がある。プロセッサ２４０は、メッセージ発生器２３０、送信機２２０、メッセージデコーダ２６０、受信機２５０、ローカル無線受信機／送信機２８０、又はリンクインタフェース２９０のいくつかの又は全ての機能を実行する可能性があり、且つ、これらの作業を支援するための特殊用途ハードウェアと接続される可能性がある（詳細は図示されていない）。データ又は音声アプリケーションは、外部に接続されたラップトップコンピュータのような、移動局１０６（図示されていない）への外付けである可能性があり、移動局１０６中の追加のプロセッサ上で動作する可能性があり、又は、プロセッサ２４０それ自身上で動作する可能性がある。プロセッサ２４０は、更に後で詳細にされる種々の手順及び方法を実行するための指示を記憶するために組み込まれたメモリを有する、又はメモリ（図示されていない）へ接続される可能性がある。
【００３４】
移動局１０６は、アイデンティティ情報及び認証情報（パスワード、共用の秘密情報、等のような）を記憶するためのアイデンティティモジュール２７０を含む可能性がある。アイデンティティ情報は、アクセスされ、登録、認証、通話設定、等のために発生された又は受信された種々のメッセージに組み入れられる可能性がある。アイデンティティモジュール２７０は、プロセッサ２４０の一部である可能性があり、又は、それに取り付けられた不揮発性メモリに組み入れられる可能性がある（図示されていない）。いくつかの場合において、図１に示された、１０６Ｃ及び１０６Ｄ、又は１０６Ａ及び１０６Ｂのような、ローカルリンクを介して通信する２つの移動局１０６は、Ｒ‐ＵＩＭインタフェースのような、着脱可能なアイデンティティモジュールもサポートする。その用途が更に詳細に後で説明されるローカルリンクは、１つの移動局からもう１つの移動局へＲ‐ＵＩＭカードを物理的に移動させる要求を緩和するために使用される可能性がある。任意の移動局１０６に記憶されたアイデンティティ情報は、着脱可能なモジュール中にある必要がないことに注目されたい。
【００３５】
図１に示されるもののような、種々の移動局１０６は、同じセットのコンポーネントを用いて構成される必要はない。例えば、いくつかの移動局は、ローカル無線リンクのみ、又はローカル有線リンクのみ、又はその両方に対して装備される可能性がある。前に述べられたように、セルラネットワークのような、広域ネットワーク１００上で通信するためにサポートされる標準のセットは、各移動局１００に関して特有である可能性がある。１つの有用な構成は、有線又は無線ローカルリンクを用いて第２の移動局１０６と接続する第１の移動局１６０を含み、第１の移動局１０６によってサポートされない通信標準を使用して広域ネットワークへアクセスする。
【００３６】
図３は、第２の無線通信装置を用いて第１の無線通信装置をエミュレートする方法の実施形態のフローチャートを図示する。図１に及び更に詳細に図２に示された無線通信装置１０６が、例である。処理は、ステップ３１０において始まり、そこでは、第１の装置、装置Ａと呼ばれる、は、前に説明されたものようなローカルリンクを使用して、第２の装置、装置Ｂと呼ばれる、と接続される。ここで使用されるように、装置Ａは、“エミュレートされた装置”であり、装置Ｂは、“エミュレートする装置”である。イグゼンプラリな実施形態において、ブルートゥース仕様をサポートするもののような無線ローカルリンクが採用される。種々のローカルリンク、有線又は無線の任意のものが、代わりの実施形態において採用される可能性がある。ローカル無線受信機／送信機２８０は、前に説明されたように、無線ローカルリンクが採用されるならば、通信するために装置Ａ及び装置Ｂの両方において使用される可能性がある。リンクインタフェース２９０は、前に説明されたように、有線ローカルリンクが採用されるならば、通信するために装置Ａ及び装置Ｂの両方において使用される可能性がある。
【００３７】
この例において、エミュレーションが実行されるとき、装置Ｂは、広域ネットワークへアクセスするために使用される。イグゼンプラリな実施形態において、広域ネットワークは、前に説明されたセルラシステムのような無線通信システムを含む。ステップ３２０へ進む。
【００３８】
ステップ３２０において、エミュレートされるべき装置である、装置Ａに関するアイデンティティ情報は、ローカルリンク上で装置Ａと装置Ｂとの間で交換される。アイデンティティモジュール２７０は、アイデンティティ情報を記憶するために装置Ａで採用される可能性があって、エミュレーションの間に装置Ｂへの送信のために、又はエミュレーションが要望されていないときに装置Ａによる通話設定での使用のために（この代案は、更に後で詳細に説明される）アクセスされる。イグゼンプラリな実施形態において、アイデンティティモジュール２７０は、Ｒ‐ＵＩＭカードである。ステップ３３０へ進む。
【００３９】
ステップ３３０において、装置Ｂは、ステップ３２０においてローカルリンク上で転送された、装置Ａからのアイデンティティ情報を使用して広域ネットワークをアクセスする。種々の通信標準に従った通話設定のための種々の手順は、セルラシステム及び／又は広域ネットワークをアクセスする際に使用される登録、認証、及び同様の手順と同様に、技術的に周知である。これらの手順を実行するためのメッセージは、それぞれ、装置Ｂに採用されたメッセージ発生器２３０及びメッセージデコーダ２６０において発生され、復号される可能性がある。（装置Ａは、同様に備えられる可能性があるが、広域ネットワークは、装置Ａがエミュレートされているとき、装置Ｂのコンポーネントを経由してアクセスされる。）ステップ３２０及び３３０は、同時に起こる可能性があることに注目されたい。更に、アイデンティティ情報は、認証及び通話設定の間、何回もアクセスされる可能性があることに注目されたい。アイデンティティ情報交換ステップは、要求に応じたアクセスのために、装置Ｂ上に記憶された全ての必要な情報を有し、最初に１回実行される可能性がある。あるいは、アイデンティティ情報は、ステップ３１０において確立されたローカルリンクを使用して、１回以上のアクセスで検索される可能性がある。一旦、広域ネットワークがアクセスされ、通信リンクが良好に設定されると、音声又はデータ通信は、装置Ｂ及び広域ネットワークとの通信のための自身の能力を使用しながら、装置Ａのアイデンティティ及び関連するサービス契約特徴を利用して、装置Ｂと広域ネットワークとの間で進む可能性がある。ステップ３３０における装置Ａのエミュレーションは、一旦、音声又はデータアプリケーションが終了すると停止する可能性がある、又は、複数の通話が開始され又は受信されている間そのまま継続する可能性があり、ユーザの要請で終了する。装置Ｂは、アイドルモードで装置Ａをエミュレートする可能性があり、ユーザが音声又はデータ通話を開始することを、又はこれから受信される装置Ａへ向けられた通話を待機する。
【００４０】
装置Ａ及びＢの両方を備えたユーザは、アクセス端末としてどちらの装置を使用するかの決定を下す可能性がある。例えば、セルラＰＣカードを備えたラップトップコンピュータ、装置Ａ、は、乗用車中の移動局、装置Ｂ、と無線ローカルリンクを確立する可能性がある。このような接続に関する起動力は、乗用車の移動局が、その地理的領域においてセルラシステムをサポートし、一方で、ノートブックコンピュータのＰＣカードが、他のセルラシステムのみをサポートすることである可能性がある。又は、乗用車の移動局は、より大きなパワー供給の利点を与えるか、又はより高いデータレートをサポートする。これらのような状況において、装置Ａは、アクセス端末として動作している。例えば、データアプリケーションは、ノートブックコンピュータ、すなわち装置Ａ上で動作している可能性があり、そこで、装置Ａは、装置Ｂ、乗用車における移動局、がネットワークへアクセスし、装置Ａをエミュレートし、そして、装置Ａへのローカルリンクを渡って通信データを転送することを指示する可能性がある。又は、ユーザは、１つの手持ち式の移動電話機、装置Ａ、を使用して話すことを好む可能性がある、何故なら、それは、ユーザが使用したがるプログラムされた連絡先一覧のような、確かな特徴を有するからである。レンタルされた移動電話機、装置Ｂは、地理的領域において提供されるセルラシステムのサポートによってネットワークアクセスを提供する。このように、装置Ａは、アクセス端末であり、装置Ｂは、装置Ａと広域ネットワークとの間の接続における導管として動作する。広域ネットワーク上で装置Ｂを用いて装置Ａをエミュレートしながら、装置Ａと通信するための方法の実施形態は、図４に関して後で説明される。
【００４１】
あるいは、装置Ｂ、エミュレートする装置、がアクセス端末になるという状況がある可能性がある。例えば、ユーザが、移動局、装置Ｂ、を備えた乗用車に手持ち式の移動電話機、装置Ａ、を持ち込むならば、ユーザは、通信のために乗用車の移動局を使用することを望む可能性がある。運転しながら、装置Ｂ上で話をすることが望ましいハンズフリーシステムを、装置Ｂが備えることである可能性がある。又は、前に説明された２つの手持ち式の移動電話機の例に対比して、ユーザは、装置Ａよりはむしろ装置Ｂを使用して話すことを選ぶ可能性がある。装置Ａをエミュレートしながら、広域ネットワーク上で装置Ｂと通信するための方法の実施形態は、図５に関して後で説明される。
【００４２】
図４は、広域ネットワーク上で装置Ｂを用いて装置Ａをエミュレートしながら装置Ａと通信するための方法の実施形態を図示する。この方法は、前に説明されたように、装置Ａがアクセス端末として動作する場合に適用可能である。処理は、ステップ４１０において開始する。そこでは、以前に述べられたものの例を含むいずれの動機に対して、装置Ａと通信することを決定される。決定ブロック４２０へ進む。
【００４３】
決定ブロック４２０において、エミュレートする装置、即ち、装置Ｂ、がその後使用されるのであるならば、ステップ４３０へ進む。そうでなければ、それから、ステップ４７０へ進む。ステップ４７０において、装置Ａは、広域ネットワークを用いて通話設定を実行し、処理は、ステップ４８０へ進む。そこでは、データ又は音声通信が装置Ａと広域ネットワークとの間を流れる。
【００４４】
ステップ４３０において、装置Ａは、前に説明されたものような、ローカルリンクを介して、装置Ｂへ信号を送って、広域ネットワークをアクセスする。ステップ４４０へ進む。ステップ４４０において、装置Ｂは、地理的領域において提供される通信標準をサポートする基地局をアクセスする。アクセスは、音声又はデータ接続のため、又は単に広域ネットワークに登録するためである可能性がある。（あるいは、リンクは、装置Ａが通話を開始するまで、又は装置Ａへ向けられた通話が装置Ｂで受信されるまで、アイドルのままである可能性がある。）種々の通話設定及び種々の通信標準に関する登録手順、その例は前に述べられている、は、技術的に周知である。ステップ４５０へ進む。ステップ４５０において、装置Ｂは、ローカルリンクを介して、装置Ａのアイデンティティモジュールから、認証情報、又はエミュレーションのために必要ないずれかの他の情報を受信する。ステップ４４０及び４５０は、並行して起こる可能性があり、装置Ａからの情報は、通話設定又は登録の間に、１つのステップで若しくは分れて、アクセスされる可能性がある。ステップ４６０へ進む。ステップ４６０において、データ又は音声通信は、ローカルリンクを介して、装置Ａと装置Ｂとの間を流れる。装置Ｂがアクセス端末であったならば、アイデンティティ情報及び／又は認証情報のみが、ローカルリンクを介して転送されはずであり、そして音声又はデータ通信は、装置Ｂで終了する。この場合において、ローカルリンクは、同様に装置ＡとＢとの間のトラフィックデータを転送するために使用される。ステップ４８０へ進む。そこでは、データ及び音声通信は、装置Ｂと広域ネットワークとの間のリンク及び装置Ａと装置Ｂとの間のローカルリンクを使用して、装置Ａと広域ネットワークとの間を流れる。音声又はデータ通話が終了する場合に、処理が終了する可能性がある、又は多くの受信された若しくは開始された通話又はデータセッションの間繰り返す可能性がある。
【００４５】
図５は、装置Ａをエミュレートしながら、広域ネットワーク上で装置Ｂと通信するための方法の実施形態を図示する。この方法は、前に説明されたように、装置Ｂがアクセス端末として動作する場合に適用可能である。処理は、ステップ５１０において開始する。そこでは、以前に述べられたそれらの例を含むいずれかの理由に対して、装置Ｂと通信することが決定される。決定ブロック５２０へ進む。
【００４６】
決定ブロック５２０において、装置Ｂが装置Ａをエミュレートするのであるならば、ステップ５３０へ進む。ステップ５３０において、ローカルリンク上で装置Ａからのアイデンティティ情報を受信する。これは、前に述べられたそれらの例を含む、種々の方法で達成される可能性がある。決定ブロック５２０において、装置Ｂが装置Ａをエミュレートしないのであれば、ステップ５４０へ進む。ステップ５４０において、装置Ｂのアイデンティティ情報を使用する。これは、図２に関して前に説明されたように、装置Ｂに配備されたアイデンティティモジュール２７０に記憶される可能性がある。いずれかのステップ５３０又は５４０から、ステップ５５０へ進む。
【００４７】
ステップ５５０において、装置Ｂは、装置Ｂのアイデンティティ情報を使用して、又は装置Ａのアイデンティティ情報を使用して装置Ａをエミュレートして、通話設定又は登録を実行する。いずれかのステップ５３０又はステップ５４０は、ステップ５５０と並行して実行される可能性がある。ステップ５３０におけるアイデンティティ情報は、一度に、又はステップ５５０における通話設定若しくは登録の間に分れて、交換される可能性がある。ステップ５６０へ進む。ステップ５６０において、装置Ｂは、広域ネットワークをアクセスする。以前に説明されたように、これは、単独にセルラネットワークをアクセスすることを含む可能性があり、又はステップ５５０における通話設定は、音声通話のためのＰＳＴＮ、又はＰＤＳＮを介して、インターネット若しくは企業のイントラネットのような、もう１つの広域ネットワークと接続される可能性がある。ステップ５６０及び５５０は、音声又はデータアプリケーションに依存して、単一のステップに統合される可能性がある。ステップ５７０へ進む。ステップ５７０において、データ又は音声通信は、装置Ｂと広域ネットワークとの間を流れる。処理は、音声又はデータ通話が終了する場合に、終了する可能性がある、又は多くの受信された若しくは開始された通話又はデータセッションの間繰り返す可能性がある。
【００４８】
前に説明された技術は、複数のクライアント又は複数のサーバを使用して、採用される可能性もある。例えば、移動局１０６は、ブルートゥース仕様をサポートするリンクのような、１つより多いローカルリンク上のクライアントである可能性がある。説明された方法は、装置Ａとして動作するクライアント移動局が、装置Ｂとして動作する複数のサーバを用いて１つ以上の広域ネットワークをアクセスすることを可能にするために、採用される可能性がある。そこでは、各サーバは、一部分の時間の間に広域ネットワークと接続する。同様に、各々が装置Ａとして動作する複数のクライアント移動局は、サーバ、すなわち装置Ｂへ接続される可能性がある。クライアントは、本質的に、サーバ、装置Ｂを経由して、広域ネットワークへ時分割アクセスする可能性がある。クライアントは、サーバが一度に１つのクライアントをエミュレートする広域ネットワークをアクセスするように、サーバと連携する可能性がある。各々のエミュレートされたクライアントに関するクライアント情報は、サーバが特定のクライアントをエミュレートしている時間帯の間に、適宜、ローカルリンクを介して、送信される可能性がある。技術的に精通した人達は、これらの複数クライアント又は複数サーバアプリケーションに、この中に開示された技術を容易に適用する。
【００４９】
技術的に精通した人達は、情報及び信号が任意の種々の様々な技術及び手法を使用して表される可能性があることを理解する。例えば、前の説明の全体に亘って参照される可能性がある、データ、指示、命令、情報、信号、ビット、シンボル、及びチップは、電圧、電流、電磁波、磁場若しくは磁粒子、光場若しくは光粒子、又はこれらの任意の組み合わせによって表される可能性がある。
【００５０】
技術的に精通した人達は、更に、この中に開示された実施形態に関連して説明された種々の例示の論理ブロック、モジュール、回路、及びアルゴリズムステップが、電子的ハードウェア、コンピュータソフトウェア、又はその両方の組み合わせとして実施される可能性があることを正当に評価する。このハードウェア及びソフトウェアの互換性を明瞭に説明するために、種々の例示的なコンポーネント、ブロック、モジュール、回路、及びステップが、それらの機能性の点から概論的に前に説明されてきた。このような機能性がハードウェア又はソフトウェアとして実施されるかどうかは、システム全体に課せられる特定のアプリケーション及び設計の制約事項に左右される。精通した技術者は、一つひとつの特定のアプリケーションに対する種々の方法で、説明された機能性を実施する可能性があるが、このような実施決定は、本発明の範囲から逸脱させるものと解釈されるべきではない。
【００５１】
ここに開示された実施形態に関連して説明された種々の例示の論理ブロック、モジュール、及び回路は、汎用プロセッサ、ディジタルシグナルプロセッサ（ＤＳＰ）、特定用途集積回路（ＡＳＩＣ）、フィールドプログラマブルゲートアレー（ＦＰＧＡ）若しくは他のプログラム可能な論理装置、個別ゲート若しくはトランジスタ論理、個別ハードウェアコンポーネント、又はこの中に説明された機能を実行するために設計されたこれらの任意の組み合わせ、を用いて実施され又は実行される可能性がある。汎用プロセッサは、マイクロプロセッサである可能性があるが、あるいは、プロセッサは、任意の従来のプロセッサ、コントローラ、マイクロコントローラ、又はステートマシンであってもよい。プロセッサは、計算装置の組み合わせ、例えば、ＤＳＰとマイクロプロセッサとの組み合わせ、複数のマイクロプロセッサ、ＤＳＰコアをともなった１つ以上のマイクロプロセッサ、又は任意の他のこのような構成、として実施されることもできる。
【００５２】
ここに開示された実施形態に関連して説明された方法又はアルゴリズムのステップは、ハードウェアで、プロセッサによって実行されるソフトウェアモジュールで、又はその２つの組み合わせで、直接的に具現化される可能性がある。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ‐ＲＯＭ、又は技術的に周知な任意の他の形式の記憶媒体、に存在する可能性がある。イグゼンプラリな記憶媒体は、プロセッサに接続され、プロセッサが記憶媒体から情報を読み取り、記憶媒体へ情報を書き込む可能性があるようにする。あるいは、記憶媒体は、プロセッサと一体化されてもよい。プロセッサ及び記憶媒体は、ＡＳＩＣ中に存在する可能性がある。ＡＳＩＣは、ユーザ端末中に存在する可能性がある。あるいは、プロセッサ及び記憶媒体は、ユーザ端末中に個別コンポーネントとして存在する可能性がある。
【００５３】
開示された実施形態の前の説明は、技術的に精通した任意の人が、本発明を製品化し又は使用することを可能にするために提供される。これらの実施形態への種々の変更は、技術的に精通した人達には、容易に実現でき、この中に規定された包括的原理は、本発明の精神又は範囲から逸脱することなく他の実施形態に適用される可能性がある。それゆえ、本発明は、この中に示された実施形態に限定されるように意図されるものではなく、この中に開示された原理及び新規な特徴とは矛盾しない最も広い範囲と一致するものである。
【図面の簡単な説明】
【００５４】
【図１】図１は、複数のユーザをサポートすることが可能な無線通信システムの一般的なブロック図である。
【図２】図２は、エミュレーションのために備えられた移動局の一部を図示する。
【図３】図３は、第２の装置を用いて第１の無線通信装置をエミュレートする方法の実施形態のフローチャートを図示する。
【図４】図４は、広域ネットワーク上で第２の装置を用いて第１の装置をエミュレートしながら、第１の装置と通信する方法の実施形態のフローチャートを図示する。
【図５】図５は、第１の装置をエミュレートしながら、広域ネットワーク上で第２の装置と通信する方法の実施形態のフローチャートを図示する。
【符号の説明】
【００５５】
１００…無線通信システム、１０４…基地局、１０６，１０６Ａ，１０６Ｂ，１０６Ｃ，１０６Ｄ…移動局、２１０…アンテナ。
【図１】
2005528026.tif 000003
【図２】
2005528026.tif 000004
【図３】
2005528026.tif 000005
【図４】
2005528026.tif 000006
【図５】
2005528026.tif 000007
【国際調査報告】
2005528026.tif 000008
2005528026.tif 000009